(57)【要約】【課題】クリーピング現象によるケーブルの移動を防止する。【解決手段】クロージャ１００の両側に接続されたケーブル２００Ａ，２００Ｂのそれぞれにケーブルグリップ１１Ａ，１１Ｂを取り付け、ケーブルグリップ１１Ａ，１１Ｂを引っ張るための引張部１２Ａ，１２Ｂをターンバックル１３で連結する。これにより、ケーブル２００Ｂがクロージャ１００から遠ざかる方向へ移動する場合に、ケーブルグリップ１１Ｂがターンバックル１３を介してケーブルグリップ１１Ａおよびケーブル２００Ａを引っ張るので、クロージャ１００のケーブル把持部分に過剰な力が加わらず、クロージャ１００からケーブル２００Ｂが抜けることを防止できる。【選択図】図５
2019180125.tif 000002
【特許請求の範囲】
【請求項１】
クロージャに接続された第１のケーブルが前記クロージャから遠ざかる方向へ移動するクリーピング現象を防止するためのケーブル抜け防止装置であって、
前記第１のケーブルに取り付けられる第１のケーブルグリップと、
前記第１のケーブルグリップを前記クロージャに近づく方向へ引っ張るための第１の引張部と、
前記第１の引張部に取り付けられ、前記第１のケーブルグリップを別の物に固定するための連結部と、
を有することを特徴とするケーブル抜け防止装置。
【請求項２】
前記第１の引張部を保持し、前記連結部と前記クロージャとの間隔を保つガイドを有することを特徴とする請求項１に記載のケーブル抜け防止装置。
【請求項３】
前記クロージャに接続された第２のケーブルに取り付けられる第２のケーブルグリップと、
前記第２のケーブルグリップを前記クロージャに近づく方向へ引っ張るための第２の引張部と、を有し、
前記連結部は、第１の引張部と第２の引張部を両側に接続したことを特徴とする請求項１又は２に記載のケーブル抜け防止装置。
【発明の詳細な説明】
【技術分野】
【０００１】
本発明は、ケーブルが移動するクリーピング現象を防止する技術に関する。
【背景技術】
【０００２】
ケーブルの温度伸縮や車両通行に起因する振動等により、ケーブルが移動するクリーピング現象が発生することが知られている。クリーピング現象は、軟弱地盤で大型車両の通行が多い、傾斜地で車両の通行量が多い、路面の凹凸が激しい直線道路、走行車両の真下にケーブルが埋設されている、及び橋梁添架ケーブルなどの温度変化が大きい場合に発生しやすくなる。
【０００３】
ケーブルが移動すると、クロージャのケーブル把持部分に過剰な力が加わり、ケーブルとクロージャとの隙間からガスが漏洩してしまうという問題がある。
【０００４】
クリーピング現象を未然に防止する方法として、ケーブルにケーブル移動防止金物をマンホール内壁面に近接して取り付ける方法がある（例えば特許文献１）。
【０００５】
例えば、クロージャから遠ざかる方向にケーブルが移動する場合は、図１に示すように、ケーブル移動防止金物３００によってクロージャ１００から遠ざかる方向に移動するケーブル２００を保持し、ケーブル移動防止金物３００がマンホール内壁面を支えることで、クロージャ１００から遠ざかる方向へのケーブル２００の移動を防止できる。
【０００６】
クロージャに近づく方向に移動する場合は、図２に示すように、ケーブル移動防止金物３００によって隣のマンホールにおいてケーブル２００を保持し、ケーブル移動防止金物３００がマンホール内壁面を支えることで、クロージャ１００へ近づく方向へのケーブル２００の移動を防止できる。隣のマンホールのクロージャ１００からみるとケーブル２００は遠ざかる方向に移動するケーブルである。
【０００７】
橋梁区間に設置されているクロージャ１００から延びるケーブル２００についても、クロージャに近づく方向に移動する場合は、図３に示すように、ケーブル移動防止金物３００によって隣のマンホールにおいてケーブル２００を保持し、ケーブル移動防止金物３００がマンホール内壁面を支えることで、クロージャ１００へ近づく方向へのケーブル２００の移動を防止できる。
【先行技術文献】
【特許文献】
【０００８】
【特許文献１】特開平９−１６３５７２号公報
【発明の概要】
【発明が解決しようとする課題】
【０００９】
しかしながら、図４に示すように、橋梁区間に設置されているクロージャ１００から延びるケーブル２００がクロージャ１００から遠ざかる方向に移動する場合は、ケーブル移動防止金物３００による対策を取ることができないという問題があった。具体的には、図４の橋梁の下のクロージャ１００の左から延びるケーブル２００が左方向に移動する場合、ケーブル２００を保持したケーブル移動防止金物３００を支えるマンホール内壁面が無い。そのため、ケーブル移動防止金物３００によってケーブル２００の移動を防止することができない。
【００１０】
本発明は、上記に鑑みてなされたものであり、クリーピング現象によるケーブルの移動を防止することを目的とする。
【課題を解決するための手段】
【００１１】
本発明に係るケーブル移動防止装置は、クロージャに接続された第１のケーブルが前記クロージャから遠ざかる方向へ移動するクリーピング現象を防止するためのケーブル移動防止装置であって、前記第１のケーブルに取り付けられる第１のケーブルグリップと、前記第１のケーブルグリップを前記クロージャに近づく方向へ引っ張るための第１の引張部と、前記第１の引張部に取り付けられ、前記第１のケーブルグリップを別の物に固定するための連結部と、を有することを特徴とする。
【００１２】
上記ケーブル移動防止装置において、前記第１の引張部を保持し、前記連結部と前記クロージャとの間隔を保つガイドを有することを特徴とする。
【００１３】
上記ケーブル移動防止装置において、前記クロージャに接続された第２のケーブルに取り付けられる第２のケーブルグリップと、前記第２のケーブルグリップを前記クロージャに近づく方向へ引っ張るための第２の引張部と、を有し、前記連結部は、第１の引張部と第２の引張部を両側に接続したことを特徴とする。
【発明の効果】
【００１４】
本発明によれば、クリーピング現象によるケーブルの移動を防止することができる。
【図面の簡単な説明】
【００１５】
【図１】クロージャから遠ざかる方向に移動するケーブルにケーブル移動防止金物を取り付けて対策する様子を示す模式図である。
【図２】クロージャに近づく方向に移動するケーブルにケーブル移動防止金物を取り付けて対策する様子を示す模式図である。
【図３】橋梁区間のクロージャに近づく方向に移動するケーブルにケーブル移動防止金物を取り付けて対策する様子を示す模式図である。
【図４】橋梁区間のクロージャから遠ざかる方向に移動するケーブルは、ケーブル移動防止金物を取り付けて対策できないことを説明するための模式図である。
【図５】本実施形態のケーブル移動防止装置の構成を示す概略図である。
【図６】本実施形態のケーブル移動防止装置を橋梁区間のクロージャに適用した様子を示す図である。
【発明を実施するための形態】
【００１６】
以下、本発明の実施の形態について図面を用いて説明する。
【００１７】
図５は、本実施形態のケーブル移動防止装置１の構成を示す概略図である。
【００１８】
図５に示すケーブル移動防止装置１は、ケーブルグリップ１１Ａ，１１Ｂ、ケーブルグリップ１１Ａ，１１Ｂを引っ張るための引張部１２Ａ，１２Ｂ、引張部１２Ａ，１２Ｂを連結するターンバックル１３、及びターンバックル１３間の距離を一定に保つための金属ガイド１４Ａ，１４Ｂを備える。
【００１９】
ケーブルグリップ１１Ａ，１１Ｂは、ワイヤーを編んで筒状にしたものである。一枚の網目状ワイヤーシートをケーブル２００に巻き付け、シートの両辺同士をワイヤーで編み込んでケーブル２００を把持する。ケーブルグリップ１１Ａ，１１Ｂとして、ケーブルを引き戻すための中間引き作業で使用する器具を利用できる。ケーブルグリップ１１Ａ，１１Ｂは、最大荷重１００００Ｎでケーブルを牽引可能である。
【００２０】
ケーブルグリップ１１Ａ，１１Ｂは、クロージャ１００の両側から延びたケーブル２００のそれぞれに取り付けられる。
【００２１】
引張部１２Ａ，１２Ｂは、ケーブル２００を把持するケーブルグリップ１１Ａ，１１Ｂを引っ張るためのワイヤーである。ケーブルグリップ１１Ａ，１１Ｂのそれぞれは、２本の引張部１２Ａ，１２Ｂを備える。ケーブルグリップ１１Ａ，１１Ｂの備える引張部１２Ａ，１２Ｂは２本に限定されるものではなく、１本でもよいし、３本以上あってもよい。引張部１２Ａ，１２Ｂは、クロージャ１００の両側近辺に配置された金属ガイド１４Ａ，１４Ｂのそれぞれを通される。
【００２２】
ターンバックル１３は、金属製の胴の両端にネジ山が切られ、胴の両端にボルトを取り付けた器具である。ターンバックル１３の胴を回転させることで両端に取り付けたボルトが締められる、または緩められる。ターンバックル１３は、ケーブルグリップ１１Ａ，１１Ｂそれぞれの引張部１２Ａ，１２Ｂを連結し、張力を調整する。ケーブル２００を引っ張ったとき、クロージャ１００のケーブル把持部分に過剰な力が加わらずに、クロージャ１００の反対側のケーブル２００に力が加わるようにする。強度が十分であれば、カラビナやシャックルなどの連結器具をターンバックル１３の代わりに用い、引張部１２Ａ，１２Ｂを連結してもよい。
【００２３】
金属ガイド１４Ａ，１４Ｂは、クロージャ１００の両側近辺に配置された金属の構造体であり、引張部１２Ａ，１２Ｂの通し穴を備える。金属ガイド１４Ａ，１４Ｂは、例えば、橋梁等、あるいはクロージャ１００を橋梁等に固定する構造体に取り付けられる。金属ガイド１４Ａ，１４Ｂは、ケーブル２００が移動し、ケーブルグリップ１１Ａ，１１Ｂ、引張部１２Ａ，１２Ｂ、及びターンバックル１３に張力がかかった際に、ターンバックル１３がクロージャ１００本体に干渉することを防止する役割がある。金属ガイド１４Ａ，１４Ｂは、ターンバックル１３とクロージャ１００本体との間の距離を保てるならば、どのような形状であってもよい。
【００２４】
図６に、ケーブル移動防止装置１を橋梁区間のクロージャ１００に適用した様子を示す。
【００２５】
図６の例では、橋梁区間のクロージャ１００の左側のケーブル２００Ｂがクロージャ１００から遠ざかる方向（図の左方向）に移動するものとする。
【００２６】
クロージャ１００の左側のケーブル２００Ｂと右側のケーブル２００Ａのそれぞれにケーブルグリップ１１Ａ，１１Ｂを取り付けて、ケーブルグリップ１１Ａ，１１Ｂをターンバックル１３で連結する。
【００２７】
さらに、右側のマンホール内において、右側のケーブル２００Ａにケーブル移動防止金物３００を取り付けて、マンホール内壁面を支える。右側のケーブル２００Ａのクロージャ１００に近づく方向（図の左方向）への移動は、このケーブル移動防止金物３００によって防止できる。
【００２８】
ケーブル２００Ｂに左方向の力が加わると、ケーブルグリップ１１Ｂによりターンバックル１３が左方向に引っ張られ、ターンバックル１３で連結されたケーブルグリップ１１Ａが左方向に引っ張られる。ケーブル２００Ｂに加わる力の大部分は、ケーブルグリップ１１Ｂからターンバックル１３を介してケーブルグリップ１１Ａに伝わるので、クロージャ１００のケーブル２００Ｂを把持する部分に過剰な力が加わることがない。
【００２９】
ケーブルグリップ１１Ａにより、ケーブル２００Ａは左方向に引っ張られるが、右側のマンホール内に取り付けたケーブル移動防止金物３００がマンホール内壁面を支えるので、ケーブル２００Ａの移動は防止され、ケーブル２００Ｂの移動も防止される。
【００３０】
次に、別の実施形態について説明する。
【００３１】
別の実施形態のケーブル移動防止装置１は、ケーブルグリップ１１Ｂを１つのみ備えて、移動するケーブル２００Ｂのみにケーブルグリップ１１Ｂを取り付ける。引張部１２Ｂの引っ張る方向が、ケーブル２００Ｂに力が加わる向きとは逆方向になるようにケーブルグリップ１１Ｂを取り付ける。具体的には、ケーブル２００Ｂがクロージャ１００から遠ざかる方向に移動する場合は、クロージャ１００の側が引張部１２Ｂとなるようにケーブルグリップ１１Ｂをケーブル２００Ｂに取り付ける。
【００３２】
ケーブルグリップ１１Ｂの引張部１２Ｂをターンバックル１３の一方のボルトにつなぎ、ターンバックル１３の残りの一方のボルトと安定した強度を有する壁面（例えば橋梁の側面や橋桁）とをワイヤー等でつなげる。
【００３３】
引張部１２Ｂは、金属ガイド１４Ｂを通して、ターンバックル１３とクロージャ１００との間隔を所定の間隔に保ってもよい。
【００３４】
ケーブル２００Ｂに力が加わった場合、引張部１２Ｂが引っ張られるが、引張部１２Ｂをつなげたターンバックル１３の他方のボルトは壁面に接続されているので、ケーブル２００Ｂの移動が防止される。
【００３５】
ケーブル２００Ｂがクロージャ１００に近づく方向に移動する場合も同様に適用できる。この場合、クロージャ１００から遠ざかる方向にケーブル２００Ｂを引っ張ることができるように、ケーブルグリップ１１Ｂおよび引張部１２Ｂを取り付ける。なお、ケーブル２００Ｂがクロージャ１００に近づく方向に移動する場合については、図３で示したように、マンホール内でケーブル２００Ｂにケーブル移動防止金物３００を取り付けることで対策できる。
【００３６】
以上説明したように、本実施の形態によれば、クロージャ１００の両側に接続されたケーブル２００Ａ，２００Ｂのそれぞれにケーブルグリップ１１Ａ，１１Ｂを取り付け、ケーブルグリップ１１Ａ，１１Ｂを引っ張るための引張部１２Ａ，１２Ｂをターンバックル１３で連結することにより、ケーブル２００Ｂがクロージャ１００から遠ざかる方向へ移動する場合に、ケーブルグリップ１１Ｂがターンバックル１３を介してケーブルグリップ１１Ａおよびケーブル２００Ａを引っ張るので、クロージャ１００のケーブル把持部分に過剰な力が加わらず、クロージャ１００からケーブル２００Ｂが抜けることを防止できる。また、マンホール内において、ケーブルグリップ１１Ａで引っ張られるケーブル２００Ａにケーブル移動防止金物３００を取り付けることで、ケーブル２００Ａ，２００Ｂの移動を防止できる。
【符号の説明】
【００３７】
１…ケーブル移動防止装置
１１Ａ，１１Ｂ…ケーブルグリップ
１２Ａ，１２Ｂ…引張部
１３…ターンバックル
１４Ａ，１４Ｂ…金属ガイド
１００…クロージャ
２００，２００Ａ，２００Ｂ…ケーブル
３００…ケーブル移動防止金物
【図１】
2019180125.tif 000003
【図２】
2019180125.tif 000004
【図３】
2019180125.tif 000005
【図４】
2019180125.tif 000006
【図５】
2019180125.tif 000007
【図６】
2019180125.tif 000008